(57)【要約】【課題】多機能端末を用いた情報伝達においてユーザに臨場感を覚えさせる。【解決手段】プログラムは第１の多機能端末１４に三次元ＣＧデータを受信させ、ＡＲ機能を実行させる。第１の多機能端末は撮影モジュールおよびディスプレイを有する。第２の多機能端末が三次元ＣＧデータを選択する。ＡＲ機能は撮影モジュールの撮影、シンボル画像のディスプレイへの表示、シンボル画像の被観察面の第１の多機能端末が検出する情報に応じた変更を有する。【選択図】図１
2014021569.tif 000002
【特許請求の範囲】
【請求項１】
周囲の風景を撮影する撮影モジュールおよび画像を表示するディスプレイを有する第１の多機能端末において、
第２の端末が選択した三次元ＣＧデータを受信させ、
前記周囲の風景を前記撮影モジュールに撮影させ、前記撮影モジュールに撮影させた前記周囲の風景上に前記三次元ＣＧデータに相当するシンボル画像を前記ディスプレイに表示させ、および前記ディスプレイに表示される前記シンボル画像の被観察面を前記第１の多機能端末が検出する情報に応じて変更させるＡＲ機能を実行させる
ことを特徴とするプログラム。
【請求項２】
請求項１に記載のプログラムであって、前記第１の多機能端末が検出する情報は前記第１の多機能端末が有する姿勢センサによって検出される前記第１の多機能端末の姿勢であることを特徴とするプログラム。
【請求項３】
請求項１または請求項２に記載のプログラムであって、前記第１の多機能端末において選択した三次元ＣＧデータの、前記ＡＲ機能を実行する前記第２の端末への送信を前記第１の多機能端末に実行させることを特徴とするプログラム。
【請求項４】
請求項３に記載のプログラムであって、前記第１の多機能端末を特定のサーバ装置に接続させ、前記特定のサーバにおいて提供される複数の三次元ＣＧデータの中から前記第２の端末に送信する三次元ＣＧデータを選択可能であることを特徴とするプログラム。
【請求項５】
請求項４に記載のプログラムであって、前記特定のサーバ装置において選択可能な三次元ＣＧデータを前記第２の端末の情報に応じて変えることを特徴とするプログラム。
【請求項６】
請求項３から請求項５のいずれか1項に記載のプログラムであって、前記第１の多機能端末に入力されるメッセージデータとともに前記第１の多機能端末において選択した三次元ＣＧデータの前記第２の端末への送信を前記第１の多機能端末に実行させることを特徴とするプログラム。
【請求項７】
請求項６に記載のプログラムであって、
前記第１の多機能端末において、
前記第１の多機能端末および前記第２の端末に双方向にデータ通信させるチャット機能を実行させ、
前記チャット機能の実行中に、前記第１の多機能端末および前記第２の端末の間において送受信した前記メッセージデータの履歴とともに、前記第１の多機能端末において選択した三次元ＣＧデータおよび前記第２の端末から受信した三次元ＣＧデータにそれぞれ相当するシンボル画像を前記ディスプレイに表示させる
ことを特徴とするプログラム。
【請求項８】
請求項１から請求項６のいずれか１項に記載のプログラムであって、
前記第１の多機能端末において、
前記第１の多機能端末および前記第２の端末に双方向にデータ通信させるチャット機能を実行させ、
前記チャット機能の実行中に、前記第２の端末から送信された三次元ＣＧデータを受信させ、前記ＡＲ機能を実行させる
ことを特徴とするプログラム。
【請求項９】
請求項１から請求項８のいずれか１項に記載のプログラムを、前記第１の多機能端末に提供することを特徴とするサーバ装置。
【請求項１０】
請求項４に記載されたプログラムにより前記第１の多機能端末が接続する前記特定のサーバ装置であって、前記複数の三次元ＣＧデータを前記第１の多機能端末に提供することを特徴とするサーバ装置。
【請求項１１】
請求項１０に記載のサーバ装置であって、前記複数の三次元ＣＧデータの中の単一の三次元ＣＧデータを前記第１の多機能端末に選択させることを特徴とするサーバ装置。
【請求項１２】
請求項１０に記載のサーバ装置であって、前記第１の多機能端末に提供する三次元ＣＧデータを前記第２の端末の情報に応じて変えることを特徴とするサーバ装置。
【発明の詳細な説明】
【技術分野】
【０００１】
本発明は、複数の多機能端末間の情報伝達を実行させるプログラムおよびサーバ装置に関する。
【背景技術】
【０００２】
複数のユーザが、パソコンおよびスマートフォンなどの多機能端末を用いて、互いに文字による会話を交わすチャットやｅ−ｍｅｉｌなどが知られている（特許文献１参照）。
【先行技術文献】
【特許文献】
【０００３】
【特許文献１】特開２０１１−２０９９２６号公報
【発明の概要】
【発明が解決しようとする課題】
【０００４】
チャットおよびｅ−ｍａｉｌでは、文字だけでなく所定のキャラクタや写真などを用いて、ユーザの気分および気持ちなどを表現可能である。しかし、従来のチャットおよびｅ−ｍａｉｌでは無地および所定の下地上に、文字、キャラクタ、および写真などが表示されるだけであり、会話相手を目前にしてコミュニケーションを交わすような臨場感を覚えさせることは困難であった。
【０００５】
したがって、かかる事情に鑑みてなされた本発明の目的は、多機能端末を用いた情報伝達において、ユーザに臨場感を覚えさせるプログラムおよびサーバ装置を提供することにある。
【課題を解決するための手段】
【０００６】
上述した諸課題を解決すべく、第１の観点によるプログラムは、
周囲の風景を撮影する撮影モジュールおよび画像を表示するディスプレイを有する第１の多機能端末において、
第２の端末が選択した三次元ＣＧデータを受信させ、
周囲の風景を撮影モジュールに撮影させ、撮影モジュールに撮影させた周囲の風景上に三次元ＣＧデータに相当するシンボル画像をディスプレイに表示させ、およびディスプレイに表示されるシンボル画像の被観察面を第１の多機能端末が検出する情報に応じて変更させるＡＲ機能を実行させる
ことを特徴とするものである。
【０００７】
また、当該プログラムは、
第１の多機能端末が検出する情報は第１の多機能端末が有する姿勢センサによって検出される第１の多機能端末の姿勢である
ことが好ましい。
【０００８】
また、当該プログラムは、
第１の多機能端末において選択した三次元ＣＧデータの、ＡＲ機能を実行する第２の端末への送信を第１の多機能端末に実行させる
ことが好ましい。
【０００９】
また、当該プログラムは、
第１の多機能端末を特定のサーバ装置に接続させ、特定のサーバにおいて提供される複数の三次元ＣＧデータの中から第２の端末に送信する三次元ＣＧデータを選択可能である
ことが好ましい。
【００１０】
また、当該プログラムは、
特定のサーバ装置において選択可能な三次元ＣＧデータ記第２の端末の情報に応じて変える
ことが好ましい。
【００１１】
また、当該プログラムは、
第１の多機能端末に入力されるメッセージデータとともに第１の多機能端末において選択した三次元ＣＧデータの第２の端末への送信を第１の多機能端末に実行させる
ことが好ましい。
【００１２】
また、当該プログラムは、
第１の多機能端末において、
第１の多機能端末および第２の端末に双方向にデータ通信させるチャット機能を実行させ、
チャット機能の実行中に、第１の多機能端末および第２の端末の間において送受信したメッセージデータの履歴とともに、第１の多機能端末において選択した三次元ＣＧデータおよび第２の端末から受信した三次元ＣＧデータにそれぞれ相当するシンボル画像をディスプレイに表示させる
ことが好ましい。
【００１３】
また、当該プログラムは、
第１の多機能端末において、
第１の多機能端末および第２の端末に双方向にデータ通信させるチャット機能を実行させ、
チャット機能の実行中に、第２の端末から送信された三次元ＣＧデータを受信させ、ＡＲ機能を実行させる
ことが好ましい。
【００１４】
また、上述した諸課題を解決すべく、第１の観点によるサーバ装置は、
周囲の風景を撮影する撮影モジュールおよび画像を表示するディスプレイを有する第１の多機能端末において、
第２の端末が選択した三次元ＣＧデータを受信させ、
周囲の風景を撮影モジュールに撮影させ、撮影モジュールに撮影させた周囲の風景上に三次元ＣＧデータに相当するシンボル画像をディスプレイに表示させ、およびディスプレイに表示されるシンボル画像の被観察面を第１の多機能端末が検出する情報に応じて変更させるＡＲ機能を実行させるプログラムを第１の多機能端末に提供する
ことを特徴とするものである。
【００１５】
また、上述した諸課題を解決すべく、第２の観点によるサーバ装置は、
周囲の風景を撮影する撮影モジュールおよび画像を表示するディスプレイを有する第１の多機能端末において、第２の端末が選択した三次元ＣＧデータを受信させ、周囲の風景を撮影モジュールに撮影させ、撮影モジュールに撮影させた周囲の風景上に三次元ＣＧデータに相当するシンボル画像をディスプレイに表示させ、およびディスプレイに表示されるシンボル画像の被観察面を第１の多機能端末が検出する情報に応じて変更させるＡＲ機能を実行させ、第１の多機能端末を特定のサーバ装置に接続させ、特定のサーバにおいて提供される複数の三次元ＣＧデータの中から第２の端末に送信する三次元ＣＧデータを選択可能であるプログラムにより第１の多機能端末が接続する特定のサーバ装置であって、
複数の三次元ＣＧデータを第１の多機能端末に提供する
ことを特徴としている。
【００１６】
また、当該サーバ装置は、
複数の三次元ＣＧデータの中の単一の三次元ＣＧデータを第１の多機能端末に選択させる
ことが好ましい。
【００１７】
また、当該サーバ装置は、
第１の多機能端末に提供する三次元ＣＧデータを第２の端末の情報に応じて変える
ことが好ましい。
【発明の効果】
【００１８】
上記のように構成された本発明に係るプログラムおよびサーバ装置によれば、情報伝達において、ユーザに臨場感を覚えさせることが可能である。
【図面の簡単な説明】
【００１９】
【図１】本実施形態に係るプログラムを実行する端末に情報通信を行わせる情報通信システムの概略構成を示す構成図である。
【図２】図１に多機能端末の概略構成を示す機能ブロック図である。
【図３】ＡＲサービスのホームサイト画面を表示する多機能端末の正面図である。
【図４】チャット画面を表示する多機能端末の正面図である。
【図５】シンボルの選択画面を表示する多機能端末の正面図である。
【図６】三次元ＣＧデータを用いたＡＲ機能の実行中に、多機能端末が基本姿勢であるときにディスプレイにシンボルが表示されている状態を示す図である。
【図７】三次元ＣＧデータを用いたＡＲ機能の実行中に、多機能端末が水平になるように傾斜させたときにディスプレイにシンボルが表示されている状態を示す図である。
【図８】三次元ＣＧデータを用いたＡＲ機能の実行中に、多機能端末が鉛直になるように傾斜させたときにディスプレイにシンボルが表示されている状態を示す図である。
【図９】三次元ＣＧデータを用いたＡＲ機能の実行中に、多機能端末を基本姿勢から右に旋廻させるときにディスプレイにシンボルが表示されている状態を示す図である。
【図１０】三次元ＣＧデータを用いたＡＲ機能の実行中に、多機能端末を基本姿勢から左に旋廻させるときにディスプレイにシンボルが表示されている状態を示す図である。
【図１１】制御部が実行する再生処理を示すフローチャートである。
【図１２】制御部が実行する送信処理を示すフローチャートである。
【発明を実施するための形態】
【００２０】
以下、本発明の実施形態について、図面を参照して説明する。
【００２１】
まず、本発明の一実施形態に係るプログラムを実行する端末同士で情報通信を行わせる情報通信システムについて説明する。図１は、本実施形態に係るプログラムを実行する端末に情報通信を行わせる情報通信システムの概略構成を示す機能ブロック図である。
【００２２】
図１に示すように、本実施形態に係る情報通信システム１０は、複数の基地局１１、通信ネットワーク１２、およびサーバ装置１３を含んで構成される。
【００２３】
基地局１１は無線範囲内に在圏する多機能端末１４と無線通信可能である。基地局１１は通信ネットワーク１２に接続される。多機能端末１４は、基地局１１、通信ネットワーク１２、および他の基地局１１を介して他の多機能端末１４と通話および通信が可能である。また、多機能端末１４は基地局１１および通信ネットワーク１２を介してサーバ装置１３と通信が可能である。
【００２４】
サーバ装置１３は、サーバ装置１３にアクセスする多機能端末１４にＡＲチャットサービスを提供する。ＡＲチャットサービスについては、後に詳細に説明する。
【００２５】
多機能端末１４は例えばスマートフォンなどの携帯電話およびＰＤＡなどである。多機能端末１４は多様なプログラムを実行可能であり、プログラムを実行することにより対応する機能を遂行する。
【００２６】
図２に示すように、多機能端末１４は、無線通信部１５、ディスプレイ１６、撮影モジュール１７、三軸姿勢センサ１８、および制御部１９を有する。無線通信部１５、ディスプレイ１６、撮影モジュール１７、および三軸姿勢センサ１８が、制御部１９に接続される。
【００２７】
無線通信部１５は発信するデータを変調し、変調されたデータを端末アンテナ２０から発信する。また、無線通信部１５は、端末アンテナ２０が受信した信号を、復調する。
【００２８】
ディスプレイ１６は多機能端末１４の板面に設けられる。ディスプレイ１６は、例えばタッチパネルであって、多様な画像を表示すると同時に、入力手段として機能する。
【００２９】
撮影モジュール１７はディスプレイ１６の裏面に設けられ、多機能端末１４の周囲の風景を撮影する。撮影モジュール１７は、静止画および動画を撮影可能である。
【００３０】
三軸姿勢センサ１８は、鉛直方向に平行な軸を含む互いに垂直な三軸周りの多機能端末１４の回転位置を、多機能端末１４の姿勢として検出する。
【００３１】
制御部１９は、実行するプログラムに応じて、多機能端末１４の各部位の動作を制御する。例えば、制御部１９は、無線通信部１５にデータ変調および信号復調を実行させる。また、制御部１９は、ディスプレイ１６に表示させる画像を作成する。また、制御部１９は、ディスプレイ１６が検出する入力に応じて定められた制御を実行する。また、制御部１９は、撮影モジュール１７に静止画の撮影または動画の撮影を実行させる。
【００３２】
次に、サーバ装置１３が提供するＡＲチャットサービスについて説明する。多機能端末１４がサーバ装置１３にアクセスすると、サーバ装置１３は多機能端末１４にＡＲサービスのホームサイトデータをダウンロードさせ、多機能端末１４のディスプレイ１６にＡＲサービスのホームサイト画面を表示させる。
【００３３】
図３に示すように、ＡＲサービスのホームサイト画面は、チャットアイコンＩｃを含む様々なアイコンＩを含む。アイコンＩへの入力をディスプレイ１６が検出すると、サーバ装置１３は、それぞれのアイコンＩに対応付けられた機能を実行させるプログラムを多機能端末１４にダウンロードさせる。
【００３４】
チャットアイコンＩｃへの入力が検出されると、ＡＲチャット実行プログラムが多機能端末１４にダウンロードされる。当該プログラムがダウンロードされると、多機能端末１４は当該プログラムを実行する。
【００３５】
当該プログラムを実行すると、多機能端末１４では、サーバ装置１３が提供する複数の部屋の中から自身がチャットを行う部屋を選択可能となる。チャットを行う複数の部屋は、同時に多数の多機能端末１４において閲覧および選択可能であり、また部屋を選択しているユーザ名も表示される。
【００３６】
ユーザが選択した部屋が他のどの多機能端末１４にも選択されていなかった場合には、他の多機能端末１４から選択されるまで待機状態となる。ユーザが選択した部屋が他の多機能端末１４に選択されている場合に、多機能端末１４のディスプレイ１６はチャット画面を表示する。
【００３７】
図４に示すように、チャット画面は、リアルタイムの、多機能端末１４の周囲の風景上に、メッセージＭｓおよびシンボルＳｙを重畳させることにより構成される。なお、メッセージＭｓおよびシンボルＳｙについては後述する。
【００３８】
リアルタイムの周囲の風景を表示するために、撮影モジュール１７は多機能端末１４の周囲の風景を、例えば１／６０秒毎に１フレームの画像として撮影し、ディスプレイ１６は表示する画像を１／６０秒毎に切替える。
【００３９】
チャット画面上のメッセージＭｓは、当該部屋を選択した多機能端末１４から 発信可能である。自身の多機能端末１４から発したメッセージは画面の右側に表示され、他の多機能端末１４から発したメッセージは画面の左側に表示される。これらのメッセージＭｓの履歴は時系列に並ぶように表示される。
【００４０】
チャット画面上のシンボルＳｙは、当該部屋を選択した多機能端末１４毎に選択されたシンボルである。チャット画面の右端に自身の選択したシンボルＳｙが、左側に他の多機能端末１４において選択されたシンボルＳｙが表示される。
【００４１】
チャット画面の表示中に、メッセージ入力カラム２１をタップすると、部屋に送信するメッセージを入力可能になる。多機能端末１４のユーザがメッセージを入力すると、次に、自身を示すシンボルＳｙを選択可能となる（図５参照）。なお、シンボルＳｙの選択は、メッセージを入力する度に可能であり、チャット画面上において同一のユーザに対して異なるシンボルＳｙも表示可能である。
【００４２】
シンボルＳｙはサーバ装置１３が提供する複数のシンボルＳｙの中から選択可能である。サーバ装置１３はシンボルＳｙを、例えばポリゴンなどの三次元ＣＤデータとして有しており、多機能端末１４において単一のシンボルが選択されると、該当する三次元ＣＧデータが、同じ部屋を選択しているすべての多機能端末１４に送信される。
【００４３】
例えば、第１の多機能端末１４および第２の多機能端末１４が同じ部屋を選択している状態において、第２の多機能端末１４が選択したシンボルＳｙの三次元ＣＧデータを第１の多機能端末１４は、メッセージデータとともに受信する。チャット画面においては、受信したメッセージとともに選択されたシンボルＳｙが表示される。
【００４４】
このようなチャット画面上における第２の多機能端末１４に選択されたシンボルＳｙをタップすると、第１の多機能端末１４は当該シンボルＳｙに対応する三次元ＣＧデータを用いた拡張現実（ＡＲ：Ａｕｇｍｅｎｔｅｄ  Ｒｅａｌｉｔｙ）機能を実行する。
【００４５】
当該シンボルＳｙに対応する三次元ＣＧデータを用いたＡＲ機能について、以下に説明する。当該ＡＲ機能を実行すると、第１の多機能端末１４の撮影モジュール１７は動画像を撮影し、ディスプレイ１６は第１の多機能端末１４の周囲の風景を表示する。ディスプレイ１６は、周囲の風景の上に当該シンボルＳｙを重畳して表示する。
【００４６】
当該ＡＲ機能の実行中、第１の多機能端末１４は、シンボルＳｙの三次元ＣＧデータに基づいて、第１の多機能端末１４の姿勢に応じた被観察面のシンボルＳｙの画像を作成する。
【００４７】
ディスプレイ１６の短手方向が水平であって、長手方向を鉛直方向に対して傾斜させた状態が多機能端末１４の基本姿勢に定められており、基本姿勢からの姿勢の変化に応じてシンボルＳｙの被観察面が変わる。例えば、第１の多機能端末１４が基本姿勢であるときには、ＡＲ機能の実行開始時にシンボルＳｙの正面図が周囲の風景に重畳されて、表示される（図６参照）。第１の多機能端末１４を、ディスプレイ１６の平面が水平になるように基本姿勢から鉛直方向に対して回転させると、シンボルＳｙの画像が上方から見た画像に切替わる（図７参照）。また、第１の多機能端末１４を、ディスプレイ１６の平面が鉛直になるように基本姿勢から鉛直方向に対して回転させると、シンボルＳｙの画像が正面下方から見た画像に切替わる（図８参照）。また、第１の多機能端末１４を、鉛直方向を軸に右に回転させると、シンボルＳｙの画像が右斜め斜方から見た画像に切替わる（図９参照）。また、第１の多機能端末１４を、鉛直方向を軸に左に回転させると、シンボルＳｙの画像が左斜め斜方から見た画像に切替わる（図１０参照）。
【００４８】
次に、ＡＲチャットサービスにおいて制御部１９が実行する再生処理について、図１１のフローチャートを用いて説明する。再生処理は、第２の多機能端末１４からメッセージデータおよびシンボルＳｙの三次元ＣＧデータを第１の多機能端末１４が取得したときに開始する。
【００４９】
ステップＳ１００において、制御部１９は受信したメッセージＭｓおよびシンボルＳｙを表示するチャット画面を作成し、ディスプレイ１６に表示させる。チャット画面をディスプレイ１６に表示させると、プロセスはステップＳ１０１に進む。
【００５０】
ステップＳ１０１では、制御部１９はディスプレイ１６上のシンボルＳｙの表示位置へのタップがあるか否かを判別する。シンボルＳｙへのタップを検出するときには、プロセスはステップＳ１０２に進む。シンボルＳｙへのタップをしないときには、再生処理を終了する。
【００５１】
ステップＳ１０２では、制御部１９は撮影モジュール１７による動画像の撮影を開始させる。動画像の撮影を開始させると、プロセスはステップＳ１０３に進む。
【００５２】
ステップＳ１０３では、制御部１９は三軸姿勢センサ１８から回転位置を取得し、第１の多機能端末１４の姿勢を認識する。第１の多機能端末１４の姿勢を認識すると、プロセスはステップＳ１０４に進む。
【００５３】
ステップＳ１０４では、制御部１９は、第２の多機能端末１４において選択されたシンボルＳｙの被観察面を、ステップＳ１０３において認識した第１の多機能端末１４の姿勢に応じて変えた画像を作成する。シンボルＳｙの画像を作成すると、プロセスはステップＳ１０５に進む。
【００５４】
ステップＳ１０５では、制御部１９は、ステップＳ１０２において撮影した周囲の風景上に、ステップＳ１０４において作成したシンボルＳｙの画像を重畳させた画像をディスプレイ１６に表示させる。ディスプレイ１６に表示すると、プロセスはステップＳ１０６に進む。
【００５５】
ステップＳ１０６では、制御部１９は、ディスプレイ１６の何処かへのタップが検出されているか否かを判別する。タップが検出されないときには、プロセスはステップＳ１０３に戻る。タップが検出されるときには、プロセスはステップＳ１０７に進む。
【００５６】
ステップＳ１０７では、制御部１９は、ステップＳ１００において作成したチャット画面をディスプレイ１６に表示させる。ディスプレイ１６に表示させると、再生処理は終了する。
【００５７】
次に、ＡＲチャットサービスにおいて、制御部１９が実行する送信処理について、図１２のフローチャートを用いて説明する。送信処理は、第１の多機能端末１４のチャット画面におけるメッセージ入力カラムへのタップを検出するときに、開始する。
【００５８】
ステップＳ２００において、制御部１９はメッセージ入力カラム２１に入力されたメッセージを検出する。メッセージを検出すると、プロセスはステップＳ２０１に進む。
【００５９】
ステップＳ２０１では、制御部１９は、サーバ装置１３におけるシンボルの選択画面をサーバ装置１３からダウンロードし、ディスプレイ１６に表示させる。ディスプレイ１６に表示させると、プロセスはステップＳ２０２に進む。
【００６０】
ステップＳ２０２では、制御部１９は、いずれかのシンボルＳｙを選択する入力があるか否かを判別する。何れのシンボルＳｙも選択されないときには、プロセスはステップＳ２０１に戻る。何れかのシンボルＳｙが選択されるときには、プロセスはステップＳ２０３に進む。
【００６１】
ステップＳ２０３では、制御部１９は、ステップＳ２００で検出したメッセージデータ、およびステップＳ２０２で選択されたシンボルをサーバ装置１３に送信する。サーバ装置１３は、受信したメッセージデータおよび選択されたシンボルＳｙに対応する三次元ＣＧデータを第２の多機能端末１４に送信する。第２の多機能端末１４への送信を終えると、送信処理は終了する。
【００６２】
以上のような構成の本実施形態のプログラムおよびサーバ装置によれば、通信相手が選択した、通信相手を象徴するシンボルＳｙが、自身の多機能端末１４の姿勢に応じて被観察面を変化させながら、自身の多機能端末１４の周囲に存在するかのように表示される。それゆえ、多機能端末１４のユーザに、通信相手が眼前に存在するかのような臨場感を覚えさせることが可能である。
【００６３】
本発明を諸図面や実施形態に基づき説明してきたが、当業者であれば本開示に基づき種々の変形や修正を行うことが容易であることに注意されたい。従って、これらの変形や修正は本発明の範囲に含まれることに留意されたい。
【００６４】
例えば、本実施形態において、多機能端末１４では、サーバ装置１３が提供する複数のシンボルＳｙの中から他の多機能端末１４に送信するシンボルＳｙを選択する構成であるが、サーバ装置１３がランダムで選ぶシンボルＳｙを、自身が選択するシンボルＳｙとして他の多機能端末１４に送信してもよい。
【００６５】
また、本実施形態においては、多機能端末１４では、サーバ装置１３が提供する複数のシンボルＳｙの中から他の多機能端末１４に送信するシンボルＳｙを選択する構成であるが、送信相手の現状に応じて選択可能なシンボルＳｙが制限される構成であってよい。例えば、相手先の多機能端末１４の現在位置および気象情報など、またはこれらの組合せに基づいて、シンボルＳｙそのもの、表情、または衣装が変動してもよい。このような機能は、サーバ装置１３において実現されても、多機能端末１４において実現されてもよい。
【００６６】
また、本実施形態においては、送信するシンボルＳｙを、サーバ装置１３が提供する複数のシンボルＳｙから選択する構成であるが、ユーザが作成可能な構成であってもよい。ユーザが多機能端末１４を介して、作成したシンボルＳｙの三次元ＣＧデータをサーバ装置１３に登録可能であってもよい。
【００６７】
また、本実施形態においては、無線通信機能を有する多機能端末１４を用いる構成であるが、パソコンなどの固定端末を用いることも可能である。パソコンなどの場合には、姿勢ではなく、マウスの操作などの姿勢以外の情報に応じてシンボルＳｙの被観察面を変更可能である。
【００６８】
また、本実施形態においては、多機能端末１４を用いたチャットの実行時に三次元ＣＧデータを用いたＡＲ機能を実行可能な構成であるが、例えばｅ−ｍａｉｌの受信時などのように他の多機能端末１４から送信されるデータの受信時に当該他の多機能端末１４によって選択されたシンボルＳｙを用いて三次元ＣＧデータを用いたＡＲ機能を実行する構成であってもよい。
【符号の説明】
【００６９】
１０  情報通信システム
１１  基地局
１２  通信ネットワーク
１３  サーバ装置
１４  多機能端末
１５  無線通信部
１６  ディスプレイ
１７  撮影モジュール
１８  三軸姿勢センサ
１９  制御部
２０  端末アンテナ
２１  メッセージ入力カラム
Ｉ  アイコン
Ｉｃ  チャットアイコン
Ｍｓ  メッセージ
Ｓｙ  シンボル
【図１】
2014021569.tif 000003
【図２】
2014021569.tif 000004
【図３】
2014021569.tif 000005
【図１１】
2014021569.tif 000006
【図１２】
2014021569.tif 000007
【図４】
2014021569.tif 000008
【図５】
2014021569.tif 000009
【図６】
2014021569.tif 000010
【図７】
2014021569.tif 000011
【図８】
2014021569.tif 000012
【図９】
2014021569.tif 000013
【図１０】
2014021569.tif 000014
【手続補正書】
【提出日】平成25年7月8日(2013.7.8)
【手続補正１】
【補正対象書類名】特許請求の範囲
【補正対象項目名】全文
【補正方法】変更
【補正の内容】
【特許請求の範囲】
【請求項１】
周囲の風景を撮影する撮影モジュールおよび画像を表示するディスプレイを有する第１の多機能端末において、
第２の端末が選択した三次元ＣＧデータを受信させ、
前記周囲の風景を自身の端末の撮影モジュールに撮影させ、前記撮影モジュールに撮影させた前記周囲の風景上に前記三次元ＣＧデータに相当するシンボル画像を自身の端末のディスプレイに表示させ、および前記ディスプレイに表示される前記シンボル画像の被観察面を自身の端末が検出する情報に応じて変更させるＡＲ機能を実行させ、
前記第１の多機能端末において選択した三次元ＣＧデータを、該三次元ＣＤデータに基づいて前記ＡＲ機能を実行する前記第２の端末へ送信させる
ことを特徴とするプログラム。
【請求項２】
請求項１に記載のプログラムであって、前記自身の端末が検出する情報は前記第１の多機能端末が有する姿勢センサによって検出される前記第１の多機能端末の姿勢であることを特徴とするプログラム。
【請求項３】
請求項１または請求項２に記載のプログラムであって、前記第１の多機能端末を特定のサーバ装置に接続させ、前記特定のサーバにおいて提供される複数の三次元ＣＧデータの中から前記第２の端末に送信する三次元ＣＧデータを選択可能であることを特徴とするプログラム。
【請求項４】
請求項３に記載のプログラムであって、前記特定のサーバ装置において選択可能な三次元ＣＧデータを前記第２の端末の情報に応じて変えることを特徴とするプログラム。
【請求項５】
請求項１から請求項４のいずれか1項に記載のプログラムであって、前記第１の多機能端末に入力されるメッセージデータとともに前記第１の多機能端末において選択した三次元ＣＧデータの前記第２の端末への送信を前記第１の多機能端末に実行させることを特徴とするプログラム。
【請求項６】
請求項５に記載のプログラムであって、
前記第１の多機能端末において、
前記第１の多機能端末および前記第２の端末に双方向にデータ通信させるチャット機能を実行させ、
前記チャット機能の実行中に、前記第１の多機能端末および前記第２の端末の間において送受信した前記メッセージデータの履歴とともに、前記第１の多機能端末において選択した三次元ＣＧデータおよび前記第２の端末から受信した三次元ＣＧデータにそれぞれ相当するシンボル画像を前記ディスプレイに表示させる
ことを特徴とするプログラム。
【請求項７】
請求項１から請求項５のいずれか１項に記載のプログラムであって、
前記第１の多機能端末において、
前記第１の多機能端末および前記第２の端末に双方向にデータ通信させるチャット機能を実行させ、
前記チャット機能の実行中に、前記第２の端末から送信された三次元ＣＧデータを受信させ、前記ＡＲ機能を実行させる
ことを特徴とするプログラム。
【請求項８】
請求項１から請求項７のいずれか１項に記載のプログラムを、前記第１の多機能端末に提供することを特徴とするサーバ装置。
【請求項９】
請求項３に記載されたプログラムにより前記第１の多機能端末が接続する前記特定のサーバ装置であって、前記複数の三次元ＣＧデータを前記第１の多機能端末に提供することを特徴とするサーバ装置。
【請求項１０】
請求項９に記載のサーバ装置であって、前記複数の三次元ＣＧデータの中の単一の三次元ＣＧデータを前記第１の多機能端末に選択させることを特徴とするサーバ装置。
【請求項１１】
請求項９に記載のサーバ装置であって、前記第１の多機能端末に提供する三次元ＣＧデータを前記第２の端末の情報に応じて変えることを特徴とするサーバ装置。